(57)【特許請求の範囲】
【請求項１】
表面に弾性材より成る操作ボタンが水密状態に形成された収納ケースと、
前記収納ケース内に前記操作ボタンの下面に接するように設けられた硬質性材より成る押圧プレートと、
前記押圧プレートに押圧されるように設けられ、且つ前記収納ケース内を水密封止する弾性材よりなる防水部材と、
前記防水部材内に収納され、該防水部材にて押圧操作される押釦スイッチと、
前記押釦スイッチを取付けると共に、前記収納ケースおよび前記防水部材の開口する下面を水密状態に封止するように設けられた印刷配線基板とよりなり、
前記押圧プレートに係止部を設け、前記防水部材に係合部を形成し、前記押圧プレートの係止部を前記係合部に係合し、
前記防水部材の係合部を前記印刷配線基板に対向して突出させ、前記操作ボタンを必要以上に押圧したときに、前記係合部を前記印刷配線基板に接触させるようにしたことを特徴とする防水型押釦スイッチ装置。
【請求項２】
前記操作ボタンの下部側に弾力性を有せしめるためのスリットを形成したことを特徴とする請求項１記載の防水型押釦スイッチ装置。
【請求項３】
前記操作ボタン、押圧プレートおよび防水部材を長形に形成し、前記長形に形成した防水部材に対向して並列接続された複数個の押釦スイッチを設け、操作ボタンを操作したときに、少なくともいずれかの押釦スイッチが操作されるようにしたことを特徴とする請求項１記載の防水型押釦スイッチ装置。
【発明の詳細な説明】
【技術分野】
【０００１】
本発明は車載用等の外部で使用されるために、防水を施した防水型押釦スイッチ装置に関する。
【背景技術】
【０００２】
車のトランクあるいは車の後部に設けた後部ドアを開閉するための車載用の押釦スイッチあるいはドアの施錠又は解錠を遠隔操作するために押釦スイッチが用いられている。斯かる押釦スイッチは外部で使用するため、防水を施す必要がある。ドアの施錠あるいは解錠を遠隔操作するために用いられる防水を施した押釦スイッチは例えば実開昭６３−１２０３２１号公報に記載されている。
【０００３】
図７に示すごとく、ケーシング１の内部に回路基板２が収納され、この回路基板２に押圧操作されるスイッチ３、３を取付ける。そしてケーシング１に形成した孔５、５にスイッチ３、３の操作棒４、４の上部を臨ませる。そしてケーシング１の内側から孔５、５をゴム等の弾性シート７で塞ぐと共に、弾性シート７の孔５、５の周囲でケーシング１の内壁に接着剤８で接着し、水密状態に固定している。
【０００４】
指１０でもって弾性シート７の帽子状部９を押圧すると、弾性シート７は押圧されて弾性変形し、操作棒４が押圧されてそれに対応するスイッチ３が操作される。指１０を離せば、弾性シート７の弾性によりスイッチ３の押圧が解除される。
【０００５】
また通信機器に用いられる防水を施した押釦スイッチが特開平９−１６１５９３号公報に記載されている。
【０００６】
図８に示すごとく、基板１２にスイッチ１３を取付ける。筐体１４に設けたリブ１５に座部１７を備えたゴム製のアクチュエータ１８を嵌合させ、座面２０と釦２１との間にコイルバネ２２を配置する。釦２１はカバー２３に組み込み、コイルバネ２２の圧力により座部１７を筐体１４に押しつけると共に、釦２１をカバー２３に押しつける。この構成により座部１７と筐体１４が密着し防水をしている。
【０００７】
通常状態ではコイルバネ２２の付勢により釦２１はカバー２３に当接した状態にある。釦２１を押圧するとアクチュエータ１８に押圧力が伝達され、シャフト２８がスライドしてスイッチ１３を押圧しオンする。釦２１を離すことにより、コイルバネ２２の復元力で元の状態に復帰する。
【０００８】
同様な防水を施した押しボタンスイッチが特開２００２―２３１０９３号公報および特開２００３−２５７２７４号公報に記載されている。
【特許文献１】実開昭６３−１２０３２１号公報
【特許文献２】特開平９−１６１５９３号公報
【特許文献３】特開２００２―２３１０９３号公報
【特許文献４】特開２００３−２５７２７４号公報
【発明の開示】
【発明が解決しようとする課題】
【０００９】
従来の防水を施した押釦スイッチ装置は特許文献１に示すように、スイッチ３、３の操作棒４、４の上部を臨ませた孔５、５をゴム等の弾性シート７で塞ぐと共に、弾性シート７の孔５、５の周囲でケーシング１の内壁に接着し、水密状態にしている。しかし弾性シート７を指等で押圧するときに爪等の堅いものが当たると、弾性シートに傷が付き、その傷から水分が進入するため防水効果が減少する。
【００１０】
特許文献２に示す操作ボタン装置ではケース内の防水が行われても、釦２１を押圧しているときにカバー２３と釦２１の段差２６との間に間隙ができ、カバー２３の内部の防水が行えない。
【課題を解決するための手段】
【００１１】
本発明は爪等の堅い物が当たって収納ケースの表面を水密状態にしている操作ボタンが傷ついても水分が染み込まないようにするものであり、
表面に弾性材より成る操作ボタンが水密状態に形成された収納ケースと、前記収納ケース内に前記操作ボタンに接触するように設けられた硬質性の押圧プレートと、前記押圧プレートに押圧されるように設けられ、且つ収納ケース内を水密封止する弾性材よりなる防水部材と、前記防水部材にて押圧され操作される押釦スイッチと、前記押釦スイッチを取付けると共に、前記収納ケースの下面を水密封止するように収納ケースに設けられた印刷配線基板とよりなる防水型押釦スイッチ装置を提供する。
【００１２】
本発明は小さい押圧力で押圧されるように、操作ボタンの下部側にスリットを形成した防水型押釦装置を提供する。
【００１３】
本発明は見えないところに配置された操作ボタンの操作を容易にするように、操作ボタン、押圧プレートおよび防水部材を長形に形成し、前記長形に形成した防水部材に対向して並列接続された複数個の押釦スイッチを設け、操作ボタンを操作したときに、少なくともいずれかの押釦スイッチを操作できるようにした防水型押釦スイッチ装置を提供する。
【００１４】
本発明は押圧プレートと防水部材とがずれないように、押圧プレートに係止部を設け、前記防水部材に係合部を形成し、前記押圧プレートの係止部を係合部に係合した防水型押釦スイッチを提供する。
【００１５】
本発明は押釦スイッチの過重が加わらないように、防水部材の係合部を印刷配線基板に対向して突出させ、操作ボタンを必要以上に押圧したときに、前記係合部を印刷配線基板に接触させるようにした防水型押釦スイッチ装置を提供する。
【発明の効果】
【００１６】
本発明の防水型押釦スイッチ装置は収納ケースの表面に弾性材より成る操作ボタンを水密状態に形成し、操作ボタンの下面に硬質の押圧プレートを設け、押圧プレートの下面に防水部材を設け、収納ケースと防水部材とで二重に防水している。従って収納ケースを水密状態に保持している操作ボタンが爪等で傷が付けられても、押圧プレートがあるため防水部材は傷つかず防水するので、押釦スイッチに水分が染み込み接点不良等を起こすことがない。
【００１７】
本発明の防水型押釦スイッチ装置は硬質性の収納ケースに形成された操作ボタンの下部側にスリットを形成したので、操作ボタンは弾力性に富み小さい力で押圧される。
【００１８】
本発明の防水型押釦スイッチ装置は並列接続された複数個の押釦スイッチを設けたので、操作ボタンを操作し易いように操作部を長くしたとき、操作ボタンの加わる押圧力が偏っても少なくともいずれかの押釦スイッチが押圧されオンされ、支障をきたさない。
【００１９】
本発明の防水型押釦スイッチ装置は押圧プレートに係止部を設け、防水部材に係合部を形成し、押圧プレートの係止部を係合部に係合したので、押圧プレートが押圧されたときに押圧プレートと防水部材とがずれることがない。
【００２０】
本発明の防水型押釦スイッチ装置は防水部材の係合部を印刷配線基板に対向して突出させ、操作ボタンを必要以上に押圧したときに、係合部が印刷配線基板に接触させるようにしたので、操作ボタンを強く押圧しても押釦スイッチに過重な力が加わり、押釦スイッチが破壊することを防止できる。
【発明を実施するための最良の形態】
【００２１】
図１〜図５は本発明の防水型押釦スイッチ装置に関するもので、図１は本発明の防水型押釦スイッチ装置を分解した斜視図、図２は本発明の防水型押釦スイッチ装置の平面図、図３は同じく本発明の防水型押釦スイッチ装置で、図２のＡ−Ａ面で切断した縦断面図である。図４は同じく本発明の防水型押釦スイッチ装置で、図２のＢ−Ｂ面で切断した縦断面図である。図５は図３の要部拡大断面図である。
【００２２】
収納ケース３１は硬質性の樹脂で形成され、板状の操作ボタン３２は弾性を有する樹脂で形成されており、収納ケース３１と操作ボタン３２とは２色成形で一体的に形成され水密状態にしている。
【００２３】
最初に第１の金型に硬質性の樹脂を流し込み、下面が開口するケース部３３と外方に周辺に広がる縁部３４を有する収納ケース３１を形成する。ケース部３３の下部内側には膨出部３５が形成され、縁部３４の内側には段差３６が形成される。
【００２４】
第１の金型で形成された収納ケース３１を第２の金型に入れ、弾性を有する樹脂を流し込んで薄型の操作ボタン３２を形成する。硬質性の樹脂と弾力性を有する樹脂には相性が良いものを使用することにより両樹脂は密着して、収納ケース３１と操作ボタン３２は一体的に形成され水密状態にされる。しかも収納ケース３１の縁部３４には段差３６が設けられているので、収納ケース３１と操作ボタン３２は一層密着され表面が完全に水密状態にされる。また操作ボタン３２の上部の操作部３７は肉厚にし、下部にはスリット３８、３８を形成し弾力性を持たせている。
【００２５】
図１に示すように、操作ボタン３２は操作性を良くするために、平面から見て長形に形成されている。そのため収納ケース３１をはじめとして後述する押圧プレート等も長形に形成される。
【００２６】
押圧プレート４０は硬質性の樹脂であり、収納ケース３１の内部に操作ボタン３２の下面に接触するように取り付けられる。押圧プレート４０の下面には先端を太くした係止部４１、４１を形成している。
【００２７】
図４に示すように、防水部材４４は弾力性に富んだ弾性材で、一面が開口する容器状に形成されている。防水部材４４は押圧プレート４０の下面に接触する接触面４５と後述する押釦スイッチ等を収納する収納部４７とよりなる。
【００２８】
防水部材４４の接触面４５の反対側には押圧プレート４０の係止部４１、４１に対応してアンダーカット４８された係合部４９、４９が形成されている。また防水部材４４の収納部４７の下方は広げられ収納ケース３１のケース部３３の膨出部３５に接触する接触部５０が形成されている。防水部材４４の接触部５０は収納部４７より広げられて外側に膨出部を持たせている。
【００２９】
印刷配線基板５２は周辺が防水部材４４の接触部５０の内側に防水部材４４の接触部５０を介して接触するように設けられている。印刷配線基板５２の上面には押している間オンしているコンタクト式の二個の押釦スイッチ５４、５４が防水部材４４の収納部４７内に位置するように設けられている。押釦スイッチ５４、５４の押圧片５５、５５は防水部材４４の下面に接触している。
【００３０】
二個の押釦スイッチ５４、５４の端子５６、５７は印刷配線基板５２に印刷された印刷配線に半田付けされ、半田付けされた印刷配線を介して電線５８、５９に接続されているが、押釦スイッチ５４、５４は並列接続し、双方およびいずれか一方が押されれば、押釦スイッチ５４、５４に接続されている回路はオンされるようにしている。
【００３１】
支持部材６０は印刷配線基板５２を収納ケース３１に固定するもので、両端にある固定片６１、６１をもって収納ケース３１に固定され、空間部６２、６２に押釦スイッチ５４、５４の端子５６、５７が嵌るようにしている。
【００３２】
防水部材４４の係合部４９、４９を印刷配線基板５２に対向して突出させ、操作ボタン３２、３２が必要以上に強く押圧されたとき、係合部４９、４９を印刷配線基板５２に当たり、押釦スイッチ５４、５４に過度の加重が加わらないようにしている。
【００３３】
図５を参照して詳述すると、対向する防水部材４４の係合部４９、４９の下端と印刷配線基板５２の表面との間隔Ｔは押釦スイッチ５４、５４の押圧されたときに押圧片５５、５５が動くストロークＳより僅かに大きくしている。一実施例を示すと、押釦スイッチ５４、５４の押圧片５５が動くストロ−クが０．２５ｍｍとすると、係合部４９、４９と印刷配線基板５２との間隔Ｔは０．４ｍｍ〜０．５ｍｍ程度にしている。
【００３４】
従って、通常の押圧時には操作ボタン３２の操作部３７を押圧すると、係合部４９、４９が印刷配線基板５２に当たる前に押釦スイッチ５４、５４はオンされる。しかし、間違って押釦スイッチ５４、５４がオンされているのにも拘わらず、それ以上の押圧力を加えたときには防水部材４４の係合部４９、４９が印刷配線基板５２に当たりその押圧力を吸収し、防水部材４４へそれ以上の押圧力が押釦スイッチ５４、５４の押圧片５５、５５に加わらないようにしている。
【００３５】
本発明の防水型押釦スイッチ装置は上述の構成をなしており、二色成形で操作ボタン３２と一体的に形成された収納ケース３１の内側に操作ボタン３２の下面に接するように押圧プレート４０が取付けられる。
【００３６】
然る後、防水部材４４を押圧プレート４０の下面に接触するように収納ケース３１内に取付ける。防水部材４４にはアンダーカット４８、４８された係合部４９、４９が設けられ、押圧プレート４０の先端が太くされた係止部４１、４１が嵌合されるので、押圧プレート４０が押圧されたときに、押圧プレート４０と防水部材４４がずれることが無いようにしている。
【００３７】
また、防水部材４４の接触面４５は収納ケース３１の膨出部３５に接触するようにしている。従って、防水部材４４の収納部４７と収納ケース３１との間に空間４６が形成され、押圧されたとき、防水部材４４が撓みやすくしている。
【００３８】
防水部材４４が取付けられた収納ケース３１のケース部３３には押釦スイッチ５４、５４が取付けられた印刷配線基板５２の周辺が防水部材４４の接触部５０の内側に接触するように取付けられる。従って、防水部材４４の接触部５０がより強固に収納ケース３１内に密着されると共に、印刷配線基板５２にて収納ケース３１の下面が閉塞され水密状態にされる。
【００３９】
図６に示すように、本発明の防水型押釦スイッチ装置３０は例えば車６４の後部ドア６５の下方内側に電子鍵として取付けられる。後部ドア６５を開けるには、後部ドア６５の下側から指を差し入れて押釦スイッチ装置３０の操作ボタン３２の操作部３７を押圧する。
【００４０】
操作ボタン３２を押圧すると、操作ボタン３２は弾性材より成るので凹み、押圧力は押圧プレート４０に伝わり防水部材４４を押圧する。防水部材４４は押圧されると凹み、押釦スイッチ５４、５４の押圧片５５、５５を押圧し、操作ボタン３２を操作している間押釦スイッチ５４、５４はオンする。それによりリレー等を動作させて、後部ドア６５を係止しているロックを解除する。ロックが解除された後後部ドア６５を手で持って持ち上げることにより後部ドア６５は開放される。
【００４１】
防水型押釦スイッチ装置３０は後部ドア６５の下部内側等の見えないところに取付けられるため、操作ボタン３２の操作部は操作し易いように長形に形成されている。そのため操作ボタン３２の操作部３７の端部が押されたときには、操作ボタン３２の操作部３７に均一の力が加わらないため、防水部材４４に加わる押圧力も不均一になり、一方の押釦スイッチ５４の押圧片５５に押圧力が加わっても、他方の押釦スイッチの押圧片には加わらない恐れがある。
【００４２】
しかし本発明の防水型押釦スイッチ装置では押釦スイッチ５４、５４を複数個取り付けているので、防水部材４４に加わる押圧力が不均一であってもいずれかの押釦スイッチ５４、５４が押圧される。しかも押釦スイッチ５４、５４は並列接続されているので、いずれかの押釦スイッチ５４、５４がオンされることにより後部ドア６５のロックを解除できる。
【００４３】
車等外部で使用されるスイッチ装置は防水する必要があるが、本発明の防水型押釦スイッチ装置は収納ケースと操作ボタンとが一体的に水密状態に形成され、押圧プレート４０の下面に防水部材４４を設けたので、二重に防水される。また操作ボタン３２は弾力性な部材で形成されているので、爪等堅いものが当たると傷が付き防水効果が薄れる。しかし、本発明の防水型押釦スイッチ装置３０では操作ボタン３２の下面に硬質の押圧プレート４０を用いたので、下面にある防水部材４４を傷つけることはないので防水効果が劣化することはない。
【図面の簡単な説明】
【００４４】
【図１】本発明の防水型押釦スイッチ装置を分解した斜視図である。
【図２】本発明の防水型押釦スイッチ装置の平面図である。
【図３】本発明の防水型押釦スイッチ装置で、図２のＡ−Ａ断面図である。
【図４】本発明の防水型押釦スイッチ装置で、図２のＢ―Ｂ断面図である。
【図５】本発明の防水型押釦スイッチ装置の一部拡大した断面図である。
【図６】本発明の防水型押釦スイッチ装置の一使用例を示す断面図である。
【図７】従来の防水型押釦スイッチ装置の側面図である。
【図８】従来の防水型押釦スイッチ装置の断面図である。
【符号の説明】
【００４５】
３１      収納ケース
３２      操作ボタン
３７      操作部
４０      押圧プレート
４１      係止部
４４      防水部材
４９      係合部
５２      印刷配線基板
５４      押釦スイッチ
【図１】
0004607697.tif 000002
【図２】
0004607697.tif 000003
【図３】
0004607697.tif 000004
【図４】
0004607697.tif 000005
【図５】
0004607697.tif 000006
【図６】
0004607697.tif 000007
【図７】
0004607697.tif 000008
【図８】
0004607697.tif 000009